(57)【要約】【課題】コストを低減しつつ、ユーザーが所望する施設に関する偏りの無い参考情報を提供することが可能な車載装置を提供すること。【解決手段】ＥＣＵ９は、操作スイッチ４またはリモコン５から検索条件を入力すると、入力された検索条件に該当する施設情報を記憶機器８に記憶されたデータベースから検索する。そして、検索された施設情報に関する検索キーを作成し、通信機７を介して検索エンジンＡへと送信する。その後、ＥＣＵ９は、通信機７が受信した検索総数データを、検索キーに含まれる施設名称や施設種別と共にディスプレイ３に表示する。これにより、本車載装置は、コストを低減しつつ、ユーザーが所望する施設に関する偏りの無い参考情報を提供することが可能となる。【選択図】図１
2008090681.tif 000002
【特許請求の範囲】
【請求項１】
車両に搭載された車載装置から送信される検索キーに基づいて検索エンジンがインターネット検索を行い、当該検索エンジンによる検索結果が前記車載装置へ送信されて当該車載装置からユーザーにその検索結果が通知される検索システムに用いられる前記車載装置であって、
施設情報のデータベースを記憶する記憶手段と、
ユーザーの指示操作に従って、所望の施設情報を検索するための検索条件を入力する入力手段と、
前記入力手段から入力された検索条件に該当する施設情報を前記記憶手段から検索する検索手段と、
前記検索手段が検索した施設情報に関する検索キーを作成する作成手段と、
前記作成手段が作成した前記検索キーを前記検索エンジンへと送信する送信手段と、
前記検索エンジンから送信される前記検索総数を受信する受信手段と、
前記受信手段が受信した前記検索総数に関する情報を、前記検索手段が検索した施設情報に関する情報と共に通知する通知手段とを備えることを特徴とする車載装置。
【請求項２】
前記作成手段は、前記検索手段が複数の施設情報を検索した場合、前記複数の施設情報の各々に対する前記検索キーをそれぞれ作成し、
前記送信手段は、前記作成手段が作成した複数の前記検索キーを前記検索エンジンへと送信し、
前記受信手段は、前記検索エンジンから送信される複数の前記検索キーの各々に対する前記検索総数を受信し、
前記通知手段は、前記受信手段が受信した複数の前記検索キーの各々に対する前記検索総数に関する情報を、前記検索手段が検索した複数の施設情報に関する情報と共に通知することを特徴とする請求項１記載の車載装置。
【請求項３】
前記記憶手段のデータベースに記憶されている施設情報は、少なくとも施設名称、施設住所、施設種別を含むことを特徴とする請求項１または請求項２記載の車載装置。
【請求項４】
前記通知手段によって通知される前記施設情報に関する情報は、前記施設名称であることを特徴とする請求項３記載の車載装置。
【請求項５】
前記通知手段によって通知される前記施設情報に関する情報は、前記施設住所の示す地点と前記施設種別のマークであることを特徴とする請求項３記載の車載装置。
【請求項６】
前記検索総数に関する情報は、前記検索総数自体、または、前記検索総数が予め設定された連続する複数の範囲のいずれに属するかを示す情報であることを特徴とする請求項１から請求項５のいずれかに記載の車載装置。
【請求項７】
前記作成手段は、前記検索手段が検索した施設情報に基づき、前記施設名称、前記施設住所が属する地域、前記施設種別を一組にして、前記検索キーとすることを特徴とする請求項３から請求項６のいずれかに記載の車載装置。
【請求項８】
前記通知手段は、表示手段を有し、
前記受信手段が受信した前記検索総数と、その検索総数に対応する前記検索キーに含まれる前記施設名称とを、前記表示手段にリスト表示することを特徴とする請求項３から請求項７のいずれかに記載の車載装置。
【請求項９】
前記通知手段は、地図画像を表示する表示手段を有し、
前記表示手段の表示する地図画像上において、前記検索キーに含まれる前記施設住所の示す地点に、各検索キーに対応して前記受信手段が受信した前記検索総数を、各検索キーに含まれる施設種別に基づいて定まるマークと共に重畳表示することを特徴とする請求項３から請求項７のいずれかに記載の車載装置。
【請求項１０】
前記検索総数が予め設定された連続する複数の範囲のいずれに属するかを判定する判定手段を設け、
前記通知手段は、前記判定手段の判定結果から、前記検索総数が前記連続する複数の範囲のいずれに属するかを示す情報を、前記表示手段に表示することを特徴とする請求項８または請求項９記載の車載装置。
【請求項１１】
前記通知手段は、前記検索総数が前記連続する複数の範囲のいずれに属するかを示す情報を、マークの色や大きさを変化させて前記表示手段に表示することを特徴とする請求項１０記載の車載装置。
【発明の詳細な説明】
【技術分野】
【０００１】
本発明は、検索エンジンと通信を行って動作する車載機器に関する。
【背景技術】
【０００２】
従来、ユーザーの移動時においても携帯端末を利用して有効な情報を提供できる装置が公知である。例えば特許文献１では、ユーザーが映画館を探そうとした場合、移動端末の表示パネルに表示されたカテゴリ選択ボタンを選択すると、各種パラメータがナビゲーションサーバへと送信される。ナビゲーションサーバは、移動端末から送信された各種パラメータに従って映画館を検索し、検索された映画館に関するデータを移動端末へと送信する。移動端末は、ナビゲーションサーバから送信されたデータを受信して表示パネルに表示し、ユーザーに対して映画館の場所や上映時刻等の情報を提供する。
【特許文献１】特開平９−２５７５０１号公報
【発明の開示】
【発明が解決しようとする課題】
【０００３】
しかしながら、従来装置では、ナビゲーションサーバに記憶された映画館の場所や上映時刻等の情報を検索して端末装置に提供するのみである。これに対して、ユーザーは施設に関するより多くの情報を入手したいと考える場合もある。ユーザーが施設に関するより多くの情報を入手する方法としては、ユーザーが予め他の情報提供会社と契約しておき、その情報提供会社から当該施設のさらなる情報を入手する方法も考えられるが、情報に偏りがある可能性があり、コストもかさむ。
【０００４】
本発明は、上記の問題に鑑みてなされたものであり、コストを低減しつつ、ユーザーが所望する施設に関する偏りの無い参考情報を提供することが可能な車載装置の提供を目的とする。
【課題を解決するための手段】
【０００５】
上記目的を達成するために、請求項１に記載の検索システムでは、車両に搭載された車載装置から送信される検索キーに基づいて検索エンジンがインターネット検索を行い、当該検索エンジンによる検索結果が車載装置へ送信されて当該車載装置からユーザーにその検索結果が通知される検索システムに用いられる車載装置であって、施設情報のデータベースを記憶する記憶手段と、ユーザーの指示操作に従って、所望の施設情報を検索するための検索条件を入力する入力手段と、入力手段から入力された検索条件に該当する施設情報を記憶手段から検索する検索手段と、検索手段が検索した施設情報に関する検索キーを作成する作成手段と、作成手段が作成した検索キーを検索エンジンへと送信する送信手段と、検索エンジンから送信される検索総数を受信する受信手段と、受信手段が受信した検索総数に関する情報を、検索手段が検索した施設情報に関する情報と共に通知する通知手段とを備えることを特徴とする。
【０００６】
インターネット上では、一般的に、施設の知名度や注目度が高いほど、当該施設の施設情報から作成された検索キーを検索エンジンに検索させた場合、検索されるインターネットページの検索総数は多くなることから、インターネットページの検索総数は当該施設に関する偏りの無い参考情報であると考えられる。そこで、本車載装置では、ユーザーが入力手段から検索条件を入力すると、検索手段は、入力された検索条件に該当する施設情報を記憶手段に記憶された施設情報のデータベースから検索する。作成手段は、検索手段によって検索された施設情報に関する検索キーを作成し、送信手段は、作成手段が作成された検索キーを検索エンジンへと送信する。受信手段は、検索エンジンから送信される検索総数を受信し、通知手段は、受信手段が受信した検索総数に関する情報を、検索手段が検索した施設情報に関する情報と共にユーザーに通知する。これにより、本車載装置は、コストを低減しつつ、ユーザーが所望する施設に関する偏りの無い参考情報を提供することが可能となる。
【０００７】
請求項２に記載のように、作成手段は、検索手段が複数の施設情報を検索した場合、複数の施設情報の各々に対する検索キーをそれぞれ作成し、送信手段は、作成手段が作成した複数の検索キーを検索エンジンへと送信し、受信手段は、検索エンジンから送信される複数の検索キーの各々に対する検索総数を受信し、通知手段は、受信手段が受信した複数の検索キーの各々に対する検索総数に関する情報を、検索手段が検索した複数の施設情報に関する情報と共に通知することが望ましい。これにより、複数の施設情報が検索された場合でも、複数の施設情報の各々に対する検索キーを作成し、検索エンジンへと送信することができる。検索エンジンは、送信された複数の検索キーの各々を利用してインターネット検索を行い、検索されたインターネットページの検索総数の各々を返信する。そして、検索エンジンから返信された検索総数の各々から、複数の施設情報の各々に対する検索総数に関する情報を、検索された複数の施設情報に関する情報と共にユーザーに提供することができる。その結果として、ユーザーは各施設について十分に吟味することができる。
【０００８】
請求項３に記載のように、記憶手段のデータベースに記憶されている施設情報は、少なくとも施設名称、施設住所、施設種別を含むことが望ましい。ユーザーが施設を検索する際には、検索条件として施設名称、施設住所、施設種別のいずれかを入力することが多いためである。
【０００９】
請求項４に記載のように、通知手段によって通知される施設情報に関する情報は、施設名称であることが望ましい。ユーザーは、施設に関する情報として施設名称を通知されることを望む場合が多いためである。
【００１０】
請求項５に記載のように、通知手段によって通知される施設情報に関する情報は、施設住所の示す地点と施設種別のマークであることとしても良い。ユーザーは、施設に関する情報として施設住所の示す地点と施設種別のマークを通知されることを望む場合も多いためである。
【００１１】
請求項６に記載のように、検索総数に関する情報は、検索総数自体、または、検索総数が予め設定された連続する複数の範囲のいずれに属するかを示す情報であることが望ましい。ユーザーは検索総数自体、または、検索総数が予め設定された連続する複数の範囲のいずれに属するかを示す情報を、検索総数に関する情報として通知されることを望む場合が多いためである。
【００１２】
請求項７に記載のように、作成手段は、検索手段が検索した施設情報に基づき、施設名称、施設住所が属する地域、施設種別を一組にして、検索キーとすることが望ましい。インターネット上における、検索された施設情報の示す施設と関連のあるインターネットページには、当該施設の名称、当該施設の住所が属する地域、当該施設の種別が含まれることが多いためである。
【００１３】
請求項８に記載のように、通知手段は、表示手段を有し、受信手段が受信した検索総数と、その検索総数に対応する検索キーに含まれる施設名称とを、表示手段にリスト表示することが望ましい。リスト表示することで、ユーザーは検索キーに含まれる施設名称と、これに対応する検索総数とを把握しやすくなる。
【００１４】
請求項９に記載のように、通知手段は、地図画像を表示する表示手段を有し、表示手段の表示する地図画像上において、検索キーに含まれる施設住所の示す地点に、各検索キーに対応して受信手段が受信した検索総数を、各検索キーに含まれる施設種別に基づいて定まるマークと共に重畳表示することが望ましい。これにより、ユーザーは前述の検索総数を、検索キーに含まれる施設種別を示すマークと共に、地図画像を介して把握できる。
【００１５】
請求項１０に記載のように、検索総数が予め設定された連続する複数の範囲のいずれに属するかを判定する判定手段を設け、通知手段は、判定手段の判定結果から、検索総数が連続する複数の範囲のいずれに属するかを示す情報を、表示手段に表示することが望ましい。これにより、ユーザーは前述の検索総数が、予め設定された連続する複数の範囲のいずれに属するかを容易に把握することができる。
【００１６】
請求項１１に記載のように、通知手段は、検索総数が連続する複数の範囲のいずれに属するかを示す情報を、マークの色や大きさを変化させて表示手段に表示することが望ましい。これにより、ユーザーは前述の検索総数を一見しただけで把握できる。
【発明を実施するための最良の形態】
【００１７】
図１は、本発明の一実施形態における車載装置の全体構成を示すブロック図である。本車載装置は、検索エンジンＡと通信を行って動作する。
【００１８】
はじめに、検索エンジンＡについて説明する。図１において、検索エンジンＡは、公知のコンピュータから構成され、外部のインターネットに接続されている。そして、車両用ナビゲーション装置から送信される、検索された施設情報に関する検索キーを受信すると検索キーに含まれる複数の検索ワードに対してインターネット検索（ＡＮＤ検索）を行い、当該検索キーを含むインターネットページの検索総数を検出する。そして、検出した検索総数を検索総数データとして車両用ナビゲーション装置へと送信する。
【００１９】
次に、車両用ナビゲーション装置の各部の構成について説明する。図１において、位置検出器１は、地磁気センサ１Ａ、ジャイロスコープ１Ｂ、距離センサ１Ｃ、ＧＰＳ受信機１Ｄから構成され、車両の現在位置および進行方向の検出を行う。
【００２０】
地磁気センサ１Ａは、方位センサであり、例えばパーマロイ等の環状の強磁性体に、これを励磁するための励磁巻線と、方向検出用の直交する２つの検出巻線とが巻かれた構成を持つ。そして、励磁巻線に交流電圧を印加することによって２つの検出巻線に発生する電圧を計測し、これに基づいて車両の進行方向を絶対方位として検出する。
【００２１】
ジャイロスコープ１Ｂは、車両の進行方向を相対方位として検出する方位センサであり、例えば水晶振動子を備え、当該振動子を振動させた際に発生する、コリオリ力に基づく振動から、車両の左右方向の角速度を検出する。
【００２２】
距離センサ１Ｃは、例えば車両に搭載された図示しない車輪や車軸の回転信号に基づいて、車両の移動距離を検出する。
【００２３】
ＧＰＳ受信機１Ｄは、人工衛星である図示しないＧＰＳ衛星から送信される位置測定用のＧＰＳ信号を受信し、車両が現在走行している地点の緯度や経度、高度を検出する。
【００２４】
位置検出器１は、前述した４つの機器の検出結果を相互に補間することによって、車両の現在位置および進行方向を高い精度で検出する。もちろん、要求される検出精度によっては、前述の４つの機器を全て備える必要はない。なお、車両の現在位置および進行方向に関しては、例えば三次元ジャイロによって、車両の左右方向および高さ方向における加速度を検出し、当該検出結果にも基づいて検出することとしても良い。また、ステアリングセンサ等、他のセンサによる検出信号にも基づいて行うこととしてもよい。
【００２５】
地図データ記憶器２は、例えば記憶媒体としてハードディスクを有し、道路情報、各地域の住所情報や郵便番号情報等を含む地図データと、地図画像を表示するための地図画像データとを記憶する。前述の地図データおよび地図画像データに関しては、ＣＤ−ＲＯＭやＤＶＤ−ＲＯＭ等に記憶することとしても良い。
【００２６】
ディスプレイ３は、車載用の小型ディスプレイであり、地図画像の表示を含む各種ナビゲーション表示を行う。さらに、ディスプレイ３は、検索された施設情報に含まれる施設名称と当該施設情報に対応する検索総数とをリスト表示したり、ディスプレイ３の地図画像上における、検索された施設情報に含まれる施設住所に対応する位置に、当該施設情報に含まれる施設種別を示すマークを前述の検索総数と共に重畳表示したりする。前述した各種表示に関しては、車載用のヘッドアップディスプレイ等を用いることとしても良い。このディスプレイ３は、表示手段として機能するものである。
【００２７】
操作スイッチ４は、複数のメカニカルなスイッチから構成され、各種ナビゲーション動作の開始や終了を指示する。さらに、操作スイッチ４は、ユーザーの操作指示に従って、ユーザーがレストランを検索する際の検索条件の入力を行う。前述の検索条件の入力は、レストランの種類（ジャンル）を選択した後に、入力した種類のレストランが位置する都道府県を選択することによって行う（図２はジャンル選択画面、図３は都道府県選択画面を示す）。また、操作スイッチ４は、検索された施設情報に含まれる施設名称と当該施設情報に対応する検索総数とをディスプレイ３にリスト表示するよう指示するリスト表示指示や、ディスプレイ３の地図画像上における、検索された施設情報に含まれる施設住所に対応する位置に、当該施設情報に含まれる施設種別を示すマークを前述の検索総数と共に重畳表示するよう指示する重畳表示指示を行う。前述の各種指示に関しては、操作キーを表示する表示パネルと、当該表示パネルに表示された操作キーを押したことを検出するタッチパネルを備えたタッチスイッチによって構成しても良い。
【００２８】
リモコン５は、例えば各種機能スイッチを備えた多機能リモコンであり、リモコンセンサ６を介して、前述した操作スイッチ４とほぼ同様の操作を行うことができる。
【００２９】
なお、操作スイッチ４、リモコン５、リモコンセンサ６は入力手段として機能するものである。
【００３０】
通信機７は、車載用の小型通信機であり、図示しないＶＩＣＳ情報センターから送信される渋滞情報や交通規制情報等の道路交通情報を受信する。前述の道路交通情報に関しては、ラジオ放送等から受信することとしても良い。さらに、通信機７は、施設情報に関する検索キーを車外の検索エンジンＡへと送信したり、車外の検索エンジンＡから送信される検索総数データを受信することも行う。前述した検索キーの検索エンジンＡへの送信や、検索エンジンＡから送信される検索総数データの受信に関しては、携帯電話等の公衆回線を利用した機器を利用することとしても良い。この通信機７は、送信手段および受信手段として機能するものである。
【００３１】
記憶機器８は、例えば記憶媒体であるハードディスクに、フランス料理店や中華料理店等のレストランに関する情報が施設情報として登録されたデータベースが記憶されている。前述の施設情報には、施設名称（レストランの名称）、施設住所（レストランの住所）、施設種別（フレンチや中華等）が含まれる。この記憶機器８は、記憶手段として機能するものである。
【００３２】
ＥＣＵ９は、公知のコンピュータから構成され、操作スイッチ４またはリモコン５からの指示に従って、地図画像表示を含む各種ナビゲーション動作を実行する。具体的には、ＥＣＵ９は、位置検出器１が検出した車両の現在位置および進行方向と、通信機７が受信した道路交通情報とに基づいて、地図データ記憶器２から車両の現在位置周辺の地図画像データを読み出し、車両の現在位置を示すマーク、渋滞情報、交通規制情報を重畳した地図画像をディスプレイ３に表示させる。また、スピーカ１０から各種音声案内を行わせる。
【００３３】
さらに、ＥＣＵ９は、操作スイッチ４またはリモコン５から検索条件が入力されると、入力された検索条件に該当するレストランの施設情報と、当該レストランの施設情報に関するインターネットページの検索総数とをディスプレイ３に表示させる。
【００３４】
具体的には、ＥＣＵ９は、操作スイッチ４またはリモコン５から検索条件が入力されると、入力された検索条件に該当するレストランの施設情報を記憶機器８から検索する。ここでは、ＥＣＵ９は検索手段として機能する。入力された検索条件に該当する複数の施設情報が検索されると、ＥＣＵ９は、検索された複数の施設情報の各々につき、施設名称、施設住所の属する都道府県（地域）、施設種別の３つ検索ワードを一組の検索キーとして、複数の施設情報の各々ごとに個々の検索キーをそれぞれ作成する。ここでは、ＥＣＵ９は作成手段として機能する。そして、作成した検索キーを通信機７へ順次出力し、検索エンジンＡへと順次送信させる。その後、通信機７が検索エンジンＡから検索総数データを順次受信すると、当該検索総数データを取得し、作成した複数の検索キーの各々に含まれる施設名称や施設種別を示すマークと、検索された複数の施設情報の各々に対応する検索総数データの示す検索総数とを、ディスプレイ３に表示させる。より具体的には、操作スイッチ４やリモコン５からリスト表示指示が与えられている場合には、ＥＣＵ９は複数の検索キーの各々に含まれる施設名称と、検索された複数の施設情報の各々に対応する検索総数データの示す検索総数とを、リスト表示する（図４参照：レストラン種別としてフレンチを選択し、都道府県として東京都を選択した場合）。また、操作スイッチ４やリモコン５から重畳表示指示が与えられている場合には、ＥＣＵ９は、複数の検索キーの各々に含まれる施設住所から、当該住所周辺を表示する地図画像をディスプレイ３に表示させるとともに、複数の検索キーの各々に含まれる施設住所の示す位置に、複数の検索キーに含まれる施設の種別に対応するマークと、検索された複数の施設情報の各々に対応する検索総数データの示す検索総数とを重畳表示させる（図５参照：レストラン種別としてフレンチを選択し、都道府県として東京都を選択した場合。▲は車両の現在位置）。ここでは、ＥＣＵ９は通知手段として機能する。
【００３５】
メモリ１１は、不揮発性のフラッシュメモリであり、ＥＣＵ９が各種動作を行う際の一時的な記憶領域として利用される。メモリ１１としては、例えばメモリカード等を利用する。
【００３６】
図６は、本実施形態の車載装置が、入力された検索条件に該当する施設情報と、当該施設情報に関するインターネットページの検索総数とを表示する処理に関するフローチャートである。本フローチャートの処理は、ユーザーが操作スイッチ４またはリモコン５から検索条件を入力すると実行が開始される。
【００３７】
ステップ６０１では、ＥＣＵ９は、操作スイッチ４またはリモコン５から入力された検索条件を取得する。ステップ６０２では、ステップ６０１で取得した検索条件に該当する施設情報を、記憶機器８から検索する。
【００３８】
ステップ６０３では、ステップ６０２で検索された複数の施設情報の各々につき、施設名称、施設住所の属する都道府県（地域）、施設種別の３つ検索ワードを一組の検索キーとして、複数の施設情報の各々ごとに個々の検索キーをそれぞれ作成する。施設名称、施設住所が属する都道府県、施設種別は、検索された施設情報の施設に関するインターネットページの含まれることが多いため、検索キーとして構成することが好ましいのである。
【００３９】
ステップ６０４では、ステップ６０３で作成された複数の検索キーを通信機７へと順次出力し、検索エンジンＡへと順次送信させる。
【００４０】
ステップ６０５では、検索エンジンＡは、ステップ６０４で車両用ナビゲーション装置から順次送信されてくる検索キーを受信するとともに、各検索キーに含まれる検索ワードに対するインターネット検索（ＡＮＤ検索）を行う。そして検索されたインターネットページの検索総数を検索総数データとして、車両用ナビゲーション装置に順次送信する。
【００４１】
ステップ６０６では、ＥＣＵ９は、通信機７が受信した、ステップ６０５で検索エンジンＡから順次送信される検索総数データを取得する。
【００４２】
ステップ６０７では、操作スイッチ４またはリモコン５から、リスト表示指示と重畳表示指示のいずれが与えられているか否かを判定する。リスト表示指示が与えられている場合には、ステップ６０８へ進む。重畳表示指示が与えられている場合には、ステップ６０９へ進む。
【００４３】
ステップ６０８では、ステップ６０３で作成された複数の検索キーの各々に含まれる施設名称と、ステップ６０２で検索された複数の施設情報の各々に対応するステップ６０６で取得した検索総数データの示す検索総数とを、ディスプレイ３にリスト表示して、処理を終了する。リスト表示することで、ユーザーは検索キーに含まれる施設名称と、これに対応する検索総数とを把握しやすくなる
ステップ６０９では、ステップ６０３で作成された複数の検索キーの各々に含まれる施設住所から、当該住所周辺を表示する地図画像をディスプレイ３に表示させる。そして、複数の検索キーの各々に含まれる施設住所の示す位置に、複数の検索キーの各々に含まれる施設種別に対応するマークと、ステップ６０２で検索された複数の施設情報の各々に対応するステップ６０６で取得した検索総数データの示す検索総数とを、ディスプレイ３の地図画像上に重畳表示させて、処理を終了する。これにより、ユーザーは単数または複数の検索キーに含まれる施設種別を示すマークを、これに対応する検索総数と共に、地図画像を介して把握できる。
【００４４】
こうして、複数の施設情報が検索された場合でも、複数の施設情報の各々に対応する検索総数を、複数の施設情報と共にユーザーに提供することができ、その結果として、ユーザーは各施設について十分に吟味できるのである。
【００４５】
このように、本実施形態の車載装置では、操作スイッチ４またはリモコン５から検索条件を入力すると、ＥＣＵ９は、入力された検索条件に該当する施設情報を記憶機器８に記憶されたデータベースから検索する。そして、検索された施設情報に関する検索キーを作成し、通信機７を介して検索エンジンＡへと送信する。その後、ＥＣＵ９は、通信機７が受信した検索総数データを、検索キーに含まれる施設名称や施設種別と共にディスプレイ３に表示する。これにより、本車載装置は、コストを低減しつつ、ユーザーが所望する施設に関する偏りの無い参考情報を提供することが可能となる。
【００４６】
次に、本実施形態の変形例について説明する。本変形例の車載装置では、検索された施設情報に対する検索総数を表示する代わりに、当該検索総数が０〜９９の範囲（第１範囲）、１００〜９９９の範囲（第２範囲）、１０００以上（第３範囲）のいずれかに属するかに関する情報を表示する。上述した点が、本変形例のポイントである。
【００４７】
本変形例のＥＣＵ９は、検索された複数の施設情報に対応する検索総数に関して、予め３つの範囲（第１範囲、第２範囲、第３範囲）が設定されている。この第１範囲は、検索総数が０〜９９となる範囲であり、第２範囲は、検索総数が１００〜９９９となる範囲である。第３範囲は、検索総数が１０００以上となる範囲である。ＥＣＵ９は、検索された複数の施設情報の各々に対応する検索総数データを取得すると、当該検索総数が第１範囲、第２範囲、第３範囲のいずれの範囲に属するかを調べる。そして、検索総数が第１範囲に属する場合は★印１個を、第２範囲に属する場合は★印２個を、第３範囲に属する場合は★印３個を、複数の検索キーに含まれる施設名称や施設種別を示すマークと共に、推薦度として表示する（図７、図８参照）。
【００４８】
その他の機械的構成・動作に関しては、前述した実施形態の場合と同様であるため、説明を省略する。以下に、本変形例のポイントなる動作について説明する。
【００４９】
図９は、本変形例の車載装置が、入力された検索条件に該当する施設情報と、当該施設情報に関するインターネットページの検索総数に関する情報とを表示する処理に関するフローチャートである。本フローチャートの処理は、前述した図６のフローチャートの処理において、複数の検索キーの各々に含まれる施設名称と、これに対応する検索総数データの示す検索総数とをディスプレイ３にリスト表示するステップ６０８に代わり、複数の検索キーの各々に含まれる施設名称と、これに対応する検索総数データの示す検索総数が属する範囲に対応する数の★印を推薦度として表示するステップ９０８を設ける。また、複数の検索キーの各々に含まれる施設住所の示す位置に、複数の検索キーの各々に含まれる施設種別に対応するマークと、これに対応する検索総数データの示す検索総数とをディスプレイ３の地図画像上に重畳表示させるステップ６０９に代わり、複数の検索キーの各々に含まれる施設住所の示す位置に、複数の検索キーの各々に含まれる施設種別に対応するマークと、これに対応する検索総数データの示す検索総数が属する範囲に対応する数の★印を推薦度として表示するステップ９０９を設ける。言い換えれば、ステップ９０８とステップ９０９以外の全てのステップは、前述した図６のフローチャートの処理と同様であるため、説明を省略する。
【００５０】
ステップ９０８では、ステップ９０２で検索された複数の施設情報の各々に対応するステップ９０６で取得した検索総数データの示す検索総数が属する範囲を調べ、該当する範囲に対応する数の★印を推薦度として、これに対応するステップ９０３で作成された複数の検索キーの各々に含まれる施設名称と共にディスプレイ３にリスト表示して、処理を終了する。
【００５１】
ステップ９０９では、ステップ９０３で作成された複数の検索キーの各々に含まれる施設住所から、当該住所周辺を表示する地図画像をディスプレイ３に表示させる。そして、ステップ９０２で検索された複数の施設情報の各々に対応するステップ９０６で取得した検索総数データの示す検索総数が属する範囲を調べ、該当する範囲に対応する数の★印を推薦度として、ディスプレイ３に表示された地図画像上における、ステップ９０３で作成された複数の検索キーの各々に含まれる施設住所の示す位置に重畳表示して、処理を終了する。
【００５２】
このように、本変形例の車載装置では、検索された施設情報に対応する検索総数を表示する代わりに、当該検索総数が０〜９９の範囲（第１範囲）、１００〜９９９の範囲（第２範囲）、１０００以上（第３範囲）のいずれかに属するかに関する情報を表示する。これにより、ユーザーは前述の検索総数が、予め設定された範囲のいずれに属するかを容易に把握することができる。
【００５３】
前述の変形例では、検索された施設情報に対応する検索総数を表示する代わりに、当該検索総数が予め設定された複数の範囲のいずれかに属するかを、★印の数で表示した。しかしながら、これに限定されるものではなく、例えばマークの大きさを変化させたり、マークの色を変化させたりして表示することとしても良い。これにより、ユーザーは前述の検索総数を一見しただけで把握することができる。
【００５４】
前述の実施形態および変形例では、記憶機器８にはレストランの施設情報のみが登録されていた。しかしながら、これに限定されるものではなく、例えば駅や公園等の施設情報についても登録することとしても良い。このようにしても、本装置は好適に利用できる。
【００５５】
前述の実施形態および変形例では、車載装置として車両用ナビゲーション装置を利用した。しかしながら、これに限定されるものではなく、施設を検索する機能を有する装置であれば、車載装置として好適に利用できる。
【図面の簡単な説明】
【００５６】
【図１】本発明の一実施形態における検索システムの全体構成を示すブロック図である。
【図２】本実施形態の車載装置において、ディスプレイに表示されるジャンル選択画面の一例を示す図である。
【図３】本実施形態の車載装置において、ディスプレイに表示される都道府県選択画面の一例を示す図である。
【図４】本実施形態の車載装置において、検索された複数の施設情報の各々に含まれる施設の名称と、検索された複数の施設情報の各々に対応する検索総数データの示す検索総数とを、リスト表示した一例を示す図である。
【図５】本実施形態の車載装置において、検索された複数の施設情報の各々に含まれる施設の種別に対応するマークと、検索された複数の施設情報の各々に対応する検索総数データの示す検索総数とを地図画像上に重畳表示した一例を示す図である。
【図６】本実施形態の車載装置が、入力された検索条件に該当する施設情報と、当該施設情報に関するインターネットページの検索総数とを表示する処理に関するフローチャートである。
【図７】本実施形態の車載装置において、検索された複数の施設情報の各々に含まれる施設の名称に加え、検索総数に対応する数の★印を推薦度として、ディスプレイにリスト表示した一例を示す図である。
【図８】本実施形態の車載装置において、検索された複数の施設情報の各々に対応するマークに加え、検索総数に対応する数の★印を推薦度として、ディスプレイの地図画像上に重畳表示した一例を示す図である。
【図９】本実施形態の車載装置が、入力された検索条件に該当する施設情報と、当該施設情報に関するインターネットページの検索総数に関する情報とを表示する処理に関するフローチャートである。
【符号の説明】
【００５７】
１…位置検出器、  １Ａ…地磁気センサ、  １Ｂ…ジャイロスコープ、  １Ｃ…距離センサ、  １Ｄ…ＧＰＳ受信機、  ２…地図データ記憶器、  ３…ディスプレイ、  ４…操作スイッチ、  ５…リモコン  ６…リモコンセンサ、  ７…通信機、  ８…データベース、  ９…ＥＣＵ、  １０…スピーカ、  １１…メモリ、  Ａ…検索エンジン
【図１】
2008090681.tif 000003
【図２】
2008090681.tif 000004
【図３】
2008090681.tif 000005
【図４】
2008090681.tif 000006
【図５】
2008090681.tif 000007
【図６】
2008090681.tif 000008
【図７】
2008090681.tif 000009
【図８】
2008090681.tif 000010
【図９】
2008090681.tif 000011